(57)【特許請求の範囲】
【請求項１】
広告を出力する広告出力装置と、
前記広告出力装置により出力された広告の広告効果を測定する広告効果測定装置と、
前記広告出力装置と前記広告効果測定装置と通信ネットワークを介して接続されており、前記広告出力装置により出力される広告を管理する広告管理装置と、を備える広告管理システムであって、
前記広告管理装置は、
前記広告出力装置により広告が出力されることが予定されている広告枠の中で、未だ入る広告が決定していない空き広告枠を記憶する空き広告枠記憶手段と、
前記広告効果測定装置により測定された広告効果を受信する広告効果受信手段と、
前記広告効果受信手段により受信された広告効果に基づいて、前記空き広告枠記憶手段に記憶されている空き広告枠毎に、該空き広告枠に入る広告が出力される場合の広告効果を予測する広告効果予測手段と、
前記広告効果予測手段により予測された空き広告枠毎の予測広告効果を、該空き広告枠と関連付けて、前記空き広告枠記憶手段に記録する予測広告効果記録手段と、
広告のコンテンツデータと、ユーザが希望する該広告の広告効果である希望広告効果と、を取得する広告情報取得手段と、
前記予測広告効果記録手段により前記空き広告枠記憶手段に記録された予測広告効果に基づき、前記空き広告枠記憶手段に記憶されている空き広告枠の中から、前記広告情報取得手段により取得された希望広告効果を満たす予測広告効果に関連付けられている空き広告枠を、選択する空き広告枠選択手段と、
前記広告情報取得手段により取得された広告のコンテンツデータを、前記空き広告枠選択手段により選択された空き広告枠に入れて、前記広告出力装置から出力させる広告出力制御手段と、を備え、
前記広告効果測定装置は、広告効果として、前記広告出力装置により出力された広告を認識した人の数である広告認識者数を測定し、
前記広告効果受信手段は、前記広告効果測定装置により測定された広告認識者数を受信し、
前記広告効果予測手段は、前記広告効果受信手段により受信された広告認識者数に基づいて、前記空き広告枠記憶手段に記憶されている空き広告枠毎に、該空き広告枠に入る広告が出力される場合の広告認識者数を広告効果として予測し、
前記予測広告効果記録手段は、前記広告効果予測手段により予測された空き広告枠毎の予測広告認識者数を、該空き広告枠と関連付けて、前記空き広告枠記憶手段に記録し、
前記広告情報取得手段は、希望広告効果として、ユーザが希望する広告認識者数である希望広告認識者数を取得し、
前記空き広告枠選択手段は、前記予測広告効果記録手段により前記空き広告枠記憶手段に記録された予測広告認識者数に基づき、前記空き広告枠記憶手段に記憶されている空き広告枠の中から、前記広告情報取得手段により取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御手段は、前記広告情報取得手段により取得された広告のコンテンツデータを、前記空き広告枠選択手段により選択された空き広告枠に入れて、前記広告出力装置から出力させ、
前記空き広告枠選択手段は、前記空き広告枠記憶手段に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御手段は、前記広告情報取得手段により取得された広告のコンテンツデータを、前記空き広告枠選択手段により選択された組み合わせが示す複数の空き広告枠に入れて、前記広告出力装置から出力させる、
ことを特徴とする広告管理システム。
【請求項２】
前記広告効果測定装置は、広告の広告効果を測定したときに、該広告が出力された広告出力時間を取得し、
前記広告効果受信手段は、前記広告効果測定装置から、広告出力時間と、該広告出力時間に出力された広告の広告効果と、を受信し、
前記空き広告枠記憶手段は、広告が出力されることが予定されている時間の中で、未だ出力される広告が決められていない時間を、空き広告枠として記憶し、
前記広告効果予測手段は、前記広告効果受信手段により受信された広告出力時間と広告効果とに基づいて、前記空き広告枠記憶手段に記憶されている空き広告枠毎に、該空き広告枠が示す時間に広告が出力される場合の広告効果を予測し、
前記広告出力制御手段は、前記広告情報取得手段により取得された広告のコンテンツデータを、前記空き広告枠選択手段により選択された空き広告枠が示す時間に、前記広告出力装置から出力させる、
ことを特徴とする請求項１に記載の広告管理システム。
【請求項３】
前記広告管理装置は、複数の広告出力装置と、該複数の広告出力装置のそれぞれにより出力された広告の広告効果を測定する複数の広告効果測定装置と、通信ネットワークを介して接続されており、
前記複数の広告効果測定装置のそれぞれは、広告の広告効果を測定したときに、該広告が出力された広告出力装置を識別するための広告出力装置識別情報と、該広告が出力された広告出力時間と、を取得し、
前記広告効果受信手段は、前記複数の広告効果測定装置から、広告出力装置識別情報と、広告出力時間と、該広告出力装置により該広告出力時間に出力された広告の広告効果と、を受信し、
前記空き広告枠記憶手段は、複数の広告出力装置のそれぞれにおいて広告が出力されることが予定されている時間の中で、未だ出力される広告が決められていない広告出力装置と時間との組み合わせを、空き広告枠として記憶し、
前記広告効果予測手段は、前記広告効果受信手段により受信された広告出力装置識別情報と広告出力時間と広告効果とに基づいて、前記空き広告枠記憶手段に記憶されている空き広告枠毎に、該空き広告枠が示す広告出力装置と時間との組み合わせで広告が出力される場合の広告効果を予測し、
前記広告出力制御手段は、前記広告情報取得手段により取得された広告のコンテンツデータを、前記空き広告枠選択手段により選択された空き広告枠が示す時間に、該空き広告枠が示す広告出力装置から出力させる、
ことを特徴とする請求項１又は２に記載の広告管理システム。
【請求項４】
前記広告管理装置は、
広告出力装置識別情報毎に、該広告出力装置識別情報で識別される広告出力装置から広告を出力することが許可されている属性を示す出力許可属性を記憶する出力許可属性記憶手段を更に備え、
前記広告情報取得手段は、広告のコンテンツデータと、ユーザが希望する該広告の広告効果である希望広告効果と、該ユーザの属性を示す属性情報と、を取得し、
前記空き広告枠選択手段は、
前記出力許可属性記憶手段に記憶されている広告出力装置識別情報の中から、前記広告情報取得手段により取得された属性情報が示す属性を出力許可属性に含む広告出力装置識別情報を抽出する広告出力装置識別情報抽出手段と、
前記空き広告枠記憶手段に記憶されている空き広告枠の中から、前記広告出力装置識別情報抽出手段により抽出された広告出力装置識別情報で識別される広告出力装置が出力する空き広告枠を抽出する空き広告枠抽出手段と、
前記予測広告効果記録手段により前記空き広告枠記憶手段に記録された予測広告効果に基づき、前記空き広告枠抽出手段により抽出された空き広告枠の中から、前記広告情報取得手段により取得された希望広告効果を満たす予測広告効果に関連付けられている空き広告枠を、選択する抽出空き広告枠選択手段と、を有する、
ことを特徴とする請求項３に記載の広告管理システム。
【請求項５】
前記広告効果測定装置は、性別に広告認識者数を測定し、
前記広告効果受信手段は、前記広告効果測定装置により測定された性別の広告認識者数を受信し、
前記広告効果予測手段は、前記広告効果受信手段により受信された性別の広告認識者数に基づいて、前記空き広告枠記憶手段に記憶されている空き広告枠毎に、該空き広告枠に入る広告が出力される場合の性別の広告認識者数を予測し、
前記予測広告効果記録手段は、前記広告効果予測手段により予測された空き広告枠毎の性別の予測広告認識者数を、該空き広告枠と関連付けて、前記空き広告枠記憶手段に記録し、
前記広告情報取得手段は、希望広告効果として、ユーザが希望する性別の広告認識者数である希望性別広告認識者数を取得し、
前記空き広告枠選択手段は、前記予測広告効果記録手段により前記空き広告枠記憶手段に記録された性別の予測広告認識者数に基づき、前記空き広告枠記憶手段に記憶されている空き広告枠の中から、前記広告情報取得手段により取得された希望性別広告認識者数を満たす性別の予測広告認識者数に関連付けられている空き広告枠を、選択する、
ことを特徴とする請求項１乃至４の何れか一項に記載の広告管理システム。
【請求項６】
前記広告効果測定装置は、年齢別に広告認識者数を測定し、
前記広告効果受信手段は、前記広告効果測定装置により測定された年齢別の広告認識者数を受信し、
前記広告効果予測手段は、前記広告効果受信手段により受信された年齢別の広告認識者数に基づいて、前記空き広告枠記憶手段に記憶されている空き広告枠毎に、該空き広告枠に入る広告が出力される場合の年齢別の広告認識者数を予測し、
前記予測広告効果記録手段は、前記広告効果予測手段により予測された空き広告枠毎の年齢別の予測広告認識者数を、該空き広告枠と関連付けて、前記空き広告枠記憶手段に記録し、
前記広告情報取得手段は、希望広告効果として、ユーザが希望する年齢別の広告認識者数である希望年齢別広告認識者数を取得し、
前記空き広告枠選択手段は、前記予測広告効果記録手段により前記空き広告枠記憶手段に記録された年齢別の予測広告認識者数に基づき、前記空き広告枠記憶手段に記憶されている空き広告枠の中から、前記広告情報取得手段により取得された希望年齢別広告認識者数を満たす年齢別の予測広告認識者数に関連付けられている空き広告枠を、選択する、
ことを特徴とする請求項１乃至５の何れか一項に記載の広告管理システム。
【請求項７】
広告出力装置により広告が出力されることが予定されている広告枠の中で、未だ入る広告が決められていない空き広告枠を記憶する空き広告枠記憶手段と、
前記広告出力装置により出力された広告の広告効果を測定する広告効果測定装置から、該測定された広告効果を受信する広告効果受信手段と、
前記広告効果受信手段により受信された広告効果に基づいて、前記空き広告枠記憶手段に記憶されている空き広告枠毎に、該空き広告枠に入る広告が出力される場合の広告効果を予測する広告効果予測手段と、
前記広告効果予測手段により予測された空き広告枠毎の予測広告効果を、該空き広告枠と関連付けて、前記空き広告枠記憶手段に記録する予測広告効果記録手段と、
広告のコンテンツデータと、ユーザが希望する該広告の広告効果である希望広告効果と、を取得する広告情報取得手段と、
前記予測広告効果記録手段により前記空き広告枠記憶手段に記録された予測広告効果に基づき、前記空き広告枠記憶手段に記憶されている空き広告枠の中から、前記広告情報取得手段により取得された希望広告効果を満たす予測広告効果に関連付けられている空き広告枠を、選択する空き広告枠選択手段と、
前記広告情報取得手段により取得された広告のコンテンツデータを、前記空き広告枠選択手段により選択された空き広告枠に入れて、前記広告出力装置から出力させる広告出力制御手段と、を備え、
前記広告効果受信手段は、広告効果として、前記広告出力装置により出力された広告を認識した人の数である広告認識者数を測定する前記広告効果測定装置から、該測定された広告認識者数を受信し、
前記広告効果予測手段は、前記広告効果受信手段により受信された広告認識者数に基づいて、前記空き広告枠記憶手段に記憶されている空き広告枠毎に、該空き広告枠に入る広告が出力される場合の広告認識者数を広告効果として予測し、
前記予測広告効果記録手段は、前記広告効果予測手段により予測された空き広告枠毎の予測広告認識者数を、該空き広告枠と関連付けて、前記空き広告枠記憶手段に記録し、
前記広告情報取得手段は、希望広告効果として、ユーザが希望する広告認識者数である希望広告認識者数を取得し、
前記空き広告枠選択手段は、前記予測広告効果記録手段により前記空き広告枠記憶手段に記録された予測広告認識者数に基づき、前記空き広告枠記憶手段に記憶されている空き広告枠の中から、前記広告情報取得手段により取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御手段は、前記広告情報取得手段により取得された広告のコンテンツデータを、前記空き広告枠選択手段により選択された空き広告枠に入れて、前記広告出力装置から出力させ、
前記空き広告枠選択手段は、前記空き広告枠記憶手段に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御手段は、前記広告情報取得手段により取得された広告のコンテンツデータを、前記空き広告枠選択手段により選択された組み合わせが示す複数の空き広告枠に入れて、前記広告出力装置から出力させる、
ことを特徴とする広告管理装置。
【請求項８】
広告を出力する広告出力装置と、前記広告出力装置により出力された広告の広告効果を測定する広告効果測定装置と、通信ネットワークを介して接続される広告管理装置が、前記広告出力装置により広告が出力されることが予定されている広告枠の中で、未だ入る広告が決定していない空き広告枠を記憶部に記録する空き広告枠記録ステップと、
前記広告効果測定装置が、前記広告出力装置により出力された広告の広告効果を測定する広告効果測定ステップと、
前記広告管理装置が、前記広告効果測定装置から、前記広告効果測定ステップで測定された広告効果を受信する広告効果受信ステップと、
前記広告管理装置が、前記広告効果受信ステップにより受信された広告効果に基づいて、前記記憶部に記憶されている空き広告枠毎に、該空き広告枠に入る広告が出力される場合の広告効果を予測する広告効果予測ステップと、
前記広告管理装置が、前記広告効果予測ステップにより予測された空き広告枠毎の予測広告効果を、該空き広告枠と関連付けて、前記記憶部に記録する予測広告効果記録ステップと、
前記広告管理装置が、広告のコンテンツデータと、ユーザが希望する該広告の広告効果である希望広告効果と、を取得する広告情報取得ステップと、
前記広告管理装置が、前記予測広告効果記録ステップにより前記記憶部に記録された予測広告効果に基づき、前記記憶部に記憶されている空き広告枠の中から、前記広告情報取得ステップにより取得された希望広告効果を満たす予測広告効果に関連付けられている空き広告枠を、選択する空き広告枠選択ステップと、
前記広告管理装置が、前記広告情報取得ステップにより取得された広告のコンテンツデータを、前記空き広告枠選択ステップにより選択された空き広告枠に入れて、前記広告出力装置から出力させる広告出力制御ステップと、を実行する広告管理方法であって、
前記広告効果測定ステップでは、広告効果として、前記広告出力装置により出力された広告を認識した人の数である広告認識者数を測定し、
前記広告効果受信ステップでは、前記広告効果測定ステップにより測定された広告認識者数を受信し、
前記広告効果予測ステップでは、前記広告効果受信ステップにより受信された広告認識者数に基づいて、前記記憶部に記憶されている空き広告枠毎に、該空き広告枠に入る広告が出力される場合の広告認識者数を広告効果として予測し、
前記予測広告効果記録ステップでは、前記広告効果予測ステップにより予測された空き広告枠毎の予測広告認識者数を、該空き広告枠と関連付けて、前記記憶部に記録し、
前記広告情報取得ステップでは、希望広告効果として、ユーザが希望する広告認識者数である希望広告認識者数を取得し、
前記空き広告枠選択ステップでは、前記予測広告効果記録ステップにより前記記憶部に記録された予測広告認識者数に基づき、前記記憶部に記憶されている空き広告枠の中から、前記広告情報取得ステップにより取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御ステップでは、前記広告情報取得ステップにより取得された広告のコンテンツデータを、前記空き広告枠選択ステップにより選択された空き広告枠に入れて、前記広告出力装置から出力させ、
前記空き広告枠選択ステップでは、前記記憶部に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御ステップでは、前記広告情報取得ステップにより取得された広告のコンテンツデータを、前記空き広告枠選択ステップにより選択された組み合わせが示す複数の空き広告枠に入れて、前記広告出力装置から出力させる、
ことを特徴とする広告管理方法。
【請求項９】
広告を出力する広告出力装置と、前記広告出力装置により出力された広告の広告効果を測定する広告効果測定装置と、通信ネットワークを介して接続されるコンピュータを、
前記広告出力装置により広告が出力されることが予定されている広告枠の中で、未だ入る広告が決められていない空き広告枠を記憶する空き広告枠記憶手段、
前記広告効果測定装置により測定された広告効果を受信する広告効果受信手段、
前記広告効果受信手段により受信された広告効果に基づいて、前記空き広告枠記憶手段に記憶されている空き広告枠毎に、該空き広告枠に入る広告が出力される場合の広告効果を予測する広告効果予測手段、
前記広告効果予測手段により予測された空き広告枠毎の予測広告効果を、該空き広告枠と関連付けて、前記空き広告枠記憶手段に記録する予測広告効果記録手段、
広告のコンテンツデータと、ユーザが希望する該広告の広告効果である希望広告効果と、を取得する広告情報取得手段、
前記予測広告効果記録手段により前記空き広告枠記憶手段に記録された予測広告効果に基づき、前記空き広告枠記憶手段に記憶されている空き広告枠の中から、前記広告情報取得手段により取得された希望広告効果を満たす予測広告効果に関連付けられている空き広告枠を、選択する空き広告枠選択手段、
前記広告情報取得手段により取得された広告のコンテンツデータを、前記空き広告枠選択手段により選択された空き広告枠に入れて、前記広告出力装置から出力させる広告出力制御手段、として機能させ、
前記広告効果受信手段は、広告効果として、前記広告出力装置により出力された広告を認識した人の数である広告認識者数を測定する前記広告効果測定装置から、該測定された広告認識者数を受信し、
前記広告効果予測手段は、前記広告効果受信手段により受信された広告認識者数に基づいて、前記空き広告枠記憶手段に記憶されている空き広告枠毎に、該空き広告枠に入る広告が出力される場合の広告認識者数を広告効果として予測し、
前記予測広告効果記録手段は、前記広告効果予測手段により予測された空き広告枠毎の予測広告認識者数を、該空き広告枠と関連付けて、前記空き広告枠記憶手段に記録し、
前記広告情報取得手段は、希望広告効果として、ユーザが希望する広告認識者数である希望広告認識者数を取得し、
前記空き広告枠選択手段は、前記予測広告効果記録手段により前記空き広告枠記憶手段に記録された予測広告認識者数に基づき、前記空き広告枠記憶手段に記憶されている空き広告枠の中から、前記広告情報取得手段により取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御手段は、前記広告情報取得手段により取得された広告のコンテンツデータを、前記空き広告枠選択手段により選択された空き広告枠に入れて、前記広告出力装置から出力させ、
前記空き広告枠選択手段は、前記空き広告枠記憶手段に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御手段は、前記広告情報取得手段により取得された広告のコンテンツデータを、前記空き広告枠選択手段により選択された組み合わせが示す複数の空き広告枠に入れて、前記広告出力装置から出力させる、
ことを特徴とするプログラム。
【発明の詳細な説明】
【技術分野】
【０００１】
本発明は、広告を管理する広告管理システムに関する。
【背景技術】
【０００２】
商品等の広告は、例えば、テレビ、ラジオ、新聞、雑誌等のマスメディアや、インターネット上のウェブページ等の媒体を利用して行われている。
また、近年は、広告の一形態として、屋外、店舗、公共交通機関等に設置されているディスプレイに広告を配信して表示させるデジタルサイネージと呼ばれる広告配信システムもある。
【０００３】
ところで、このような様々な広告の形態を利用して、実際に商品等を広告しようとする者は、できるだけ広告効果が高い形で広告したいと考える。
【０００４】
具体的には、例えばテレビの番組内で広告を流す場合、広告する商品の購買者層と、番組の視聴者層と、がまったく異なっていたのでは、例えその番組の視聴率が高くても、商品の販売にはあまり結び付かず、広告効果は低いと言える。逆に、広告する商品の購買者層と、広告を流す番組の視聴者層と、が同じ場合には、その商品に関心がある者が広告を見る可能性が大きくなり、広告効率は高いと言える。そのため、広告主は、広告する商品の購買者層と視聴者層ができるだけ同じ番組を探して、その番組内で広告を流すことを考える。
【０００５】
また、高い広告効果を得るために、商品を常に最適な媒体の広告枠で広告するように広告管理しようとする技術がある（例えば、特許文献１参照。）。
【０００６】
この技術では、広告主が、広告対象の商品を購入することが予測される顧客の属性を示す商品パラメータを広告管理装置に入力する。また、媒体提供者が、広告を行う媒体の広告枠を視聴することが予測される顧客の属性を示す広告枠パラメータを広告管理装置に入力する。そして、広告管理装置は、入力された商品パラメータと広告枠パラメータとから、商品と広告枠との顧客属性一致度を求める。広告主は、この顧客属性一致度を参照して、商品の広告に最適な媒体の広告枠を選択し、選択した広告枠で商品を広告する。
【特許文献１】特開２００４−２３４５２０号公報
【発明の開示】
【発明が解決しようとする課題】
【０００７】
しかしながら、上記の特許文献１に記載の技術においては、広告枠毎にどのような者が視聴するのかを示す広告枠パラメータを、それらの広告枠を有している媒体の提供者が、個人的に判断して予測する（特許文献１の第１２頁第２７〜４８行参照）。そして、媒体の提供者の予測に基づき、広告枠の広告効果を示す顧客属性一致度が求められる。
そのため、特許文献１に記載の技術では、広告枠毎に予測される広告効果も、媒体の提供者の主観的な判断に大きく左右されてしまう。
【０００８】
本発明は、上記実状に鑑みてなされたものであり、客観的に予測される広告効果に基づき、広告を出力する広告枠を決定することができる広告管理システムを提供することを目的とする。
【課題を解決するための手段】
【０００９】
上記目的を達成するため、本発明の第１の観点に係る広告管理システムは、
広告を出力する広告出力装置と、
前記広告出力装置により出力された広告の広告効果を測定する広告効果測定装置と、
前記広告出力装置と前記広告効果測定装置と通信ネットワークを介して接続されており、前記広告出力装置により出力される広告を管理する広告管理装置と、を備える広告管理システムであって、
前記広告管理装置は、
前記広告出力装置により広告が出力されることが予定されている広告枠の中で、未だ入る広告が決定していない空き広告枠を記憶する空き広告枠記憶手段と、
前記広告効果測定装置により測定された広告効果を受信する広告効果受信手段と、
前記広告効果受信手段により受信された広告効果に基づいて、前記空き広告枠記憶手段に記憶されている空き広告枠毎に、該空き広告枠に入る広告が出力される場合の広告効果を予測する広告効果予測手段と、
前記広告効果予測手段により予測された空き広告枠毎の予測広告効果を、該空き広告枠と関連付けて、前記空き広告枠記憶手段に記録する予測広告効果記録手段と、
広告のコンテンツデータと、ユーザが希望する該広告の広告効果である希望広告効果と、を取得する広告情報取得手段と、
前記予測広告効果記録手段により前記空き広告枠記憶手段に記録された予測広告効果に基づき、前記空き広告枠記憶手段に記憶されている空き広告枠の中から、前記広告情報取得手段により取得された希望広告効果を満たす予測広告効果に関連付けられている空き広告枠を、選択する空き広告枠選択手段と、
前記広告情報取得手段により取得された広告のコンテンツデータを、前記空き広告枠選択手段により選択された空き広告枠に入れて、前記広告出力装置から出力させる広告出力制御手段と、を備え、
前記広告効果測定装置は、広告効果として、前記広告出力装置により出力された広告を認識した人の数である広告認識者数を測定し、
前記広告効果受信手段は、前記広告効果測定装置により測定された広告認識者数を受信し、
前記広告効果予測手段は、前記広告効果受信手段により受信された広告認識者数に基づいて、前記空き広告枠記憶手段に記憶されている空き広告枠毎に、該空き広告枠に入る広告が出力される場合の広告認識者数を広告効果として予測し、
前記予測広告効果記録手段は、前記広告効果予測手段により予測された空き広告枠毎の予測広告認識者数を、該空き広告枠と関連付けて、前記空き広告枠記憶手段に記録し、
前記広告情報取得手段は、希望広告効果として、ユーザが希望する広告認識者数である希望広告認識者数を取得し、
前記空き広告枠選択手段は、前記予測広告効果記録手段により前記空き広告枠記憶手段に記録された予測広告認識者数に基づき、前記空き広告枠記憶手段に記憶されている空き広告枠の中から、前記広告情報取得手段により取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御手段は、前記広告情報取得手段により取得された広告のコンテンツデータを、前記空き広告枠選択手段により選択された空き広告枠に入れて、前記広告出力装置から出力させ、
前記空き広告枠選択手段は、前記空き広告枠記憶手段に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御手段は、前記広告情報取得手段により取得された広告のコンテンツデータを、前記空き広告枠選択手段により選択された組み合わせが示す複数の空き広告枠に入れて、前記広告出力装置から出力させる、
ことを特徴とする。
【００１０】
また、本発明の第２の観点に係る広告管理装置は、
広告出力装置により広告が出力されることが予定されている広告枠の中で、未だ入る広告が決められていない空き広告枠を記憶する空き広告枠記憶手段と、
前記広告出力装置により出力された広告の広告効果を測定する広告効果測定装置から、該測定された広告効果を受信する広告効果受信手段と、
前記広告効果受信手段により受信された広告効果に基づいて、前記空き広告枠記憶手段に記憶されている空き広告枠毎に、該空き広告枠に入る広告が出力される場合の広告効果を予測する広告効果予測手段と、
前記広告効果予測手段により予測された空き広告枠毎の予測広告効果を、該空き広告枠と関連付けて、前記空き広告枠記憶手段に記録する予測広告効果記録手段と、
広告のコンテンツデータと、ユーザが希望する該広告の広告効果である希望広告効果と、を取得する広告情報取得手段と、
前記予測広告効果記録手段により前記空き広告枠記憶手段に記録された予測広告効果に基づき、前記空き広告枠記憶手段に記憶されている空き広告枠の中から、前記広告情報取得手段により取得された希望広告効果を満たす予測広告効果に関連付けられている空き広告枠を、選択する空き広告枠選択手段と、
前記広告情報取得手段により取得された広告のコンテンツデータを、前記空き広告枠選択手段により選択された空き広告枠に入れて、前記広告出力装置から出力させる広告出力制御手段と、を備え、
前記広告効果受信手段は、広告効果として、前記広告出力装置により出力された広告を認識した人の数である広告認識者数を測定する前記広告効果測定装置から、該測定された広告認識者数を受信し、
前記広告効果予測手段は、前記広告効果受信手段により受信された広告認識者数に基づいて、前記空き広告枠記憶手段に記憶されている空き広告枠毎に、該空き広告枠に入る広告が出力される場合の広告認識者数を広告効果として予測し、
前記予測広告効果記録手段は、前記広告効果予測手段により予測された空き広告枠毎の予測広告認識者数を、該空き広告枠と関連付けて、前記空き広告枠記憶手段に記録し、
前記広告情報取得手段は、希望広告効果として、ユーザが希望する広告認識者数である希望広告認識者数を取得し、
前記空き広告枠選択手段は、前記予測広告効果記録手段により前記空き広告枠記憶手段に記録された予測広告認識者数に基づき、前記空き広告枠記憶手段に記憶されている空き広告枠の中から、前記広告情報取得手段により取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御手段は、前記広告情報取得手段により取得された広告のコンテンツデータを、前記空き広告枠選択手段により選択された空き広告枠に入れて、前記広告出力装置から出力させ、
前記空き広告枠選択手段は、前記空き広告枠記憶手段に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御手段は、前記広告情報取得手段により取得された広告のコンテンツデータを、前記空き広告枠選択手段により選択された組み合わせが示す複数の空き広告枠に入れて、前記広告出力装置から出力させる、
ことを特徴とする。
【００１１】
また、本発明の第３の観点に係る広告管理方法は、
広告を出力する広告出力装置と、前記広告出力装置により出力された広告の広告効果を測定する広告効果測定装置と、通信ネットワークを介して接続される広告管理装置が、前記広告出力装置により広告が出力されることが予定されている広告枠の中で、未だ入る広告が決定していない空き広告枠を記憶部に記録する空き広告枠記録ステップと、
前記広告効果測定装置が、前記広告出力装置により出力された広告の広告効果を測定する広告効果測定ステップと、
前記広告管理装置が、前記広告効果測定装置から、前記広告効果測定ステップで測定された広告効果を受信する広告効果受信ステップと、
前記広告管理装置が、前記広告効果受信ステップにより受信された広告効果に基づいて、前記記憶部に記憶されている空き広告枠毎に、該空き広告枠に入る広告が出力される場合の広告効果を予測する広告効果予測ステップと、
前記広告管理装置が、前記広告効果予測ステップにより予測された空き広告枠毎の予測広告効果を、該空き広告枠と関連付けて、前記記憶部に記録する予測広告効果記録ステップと、
前記広告管理装置が、広告のコンテンツデータと、ユーザが希望する該広告の広告効果である希望広告効果と、を取得する広告情報取得ステップと、
前記広告管理装置が、前記予測広告効果記録ステップにより前記記憶部に記録された予測広告効果に基づき、前記記憶部に記憶されている空き広告枠の中から、前記広告情報取得ステップにより取得された希望広告効果を満たす予測広告効果に関連付けられている空き広告枠を、選択する空き広告枠選択ステップと、
前記広告管理装置が、前記広告情報取得ステップにより取得された広告のコンテンツデータを、前記空き広告枠選択ステップにより選択された空き広告枠に入れて、前記広告出力装置から出力させる広告出力制御ステップと、を実行する広告管理方法であって、
前記広告効果測定ステップでは、広告効果として、前記広告出力装置により出力された広告を認識した人の数である広告認識者数を測定し、
前記広告効果受信ステップでは、前記広告効果測定ステップにより測定された広告認識者数を受信し、
前記広告効果予測ステップでは、前記広告効果受信ステップにより受信された広告認識者数に基づいて、前記記憶部に記憶されている空き広告枠毎に、該空き広告枠に入る広告が出力される場合の広告認識者数を広告効果として予測し、
前記予測広告効果記録ステップでは、前記広告効果予測ステップにより予測された空き広告枠毎の予測広告認識者数を、該空き広告枠と関連付けて、前記記憶部に記録し、
前記広告情報取得ステップでは、希望広告効果として、ユーザが希望する広告認識者数である希望広告認識者数を取得し、
前記空き広告枠選択ステップでは、前記予測広告効果記録ステップにより前記記憶部に記録された予測広告認識者数に基づき、前記記憶部に記憶されている空き広告枠の中から、前記広告情報取得ステップにより取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御ステップでは、前記広告情報取得ステップにより取得された広告のコンテンツデータを、前記空き広告枠選択ステップにより選択された空き広告枠に入れて、前記広告出力装置から出力させ、
前記空き広告枠選択ステップでは、前記記憶部に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御ステップでは、前記広告情報取得ステップにより取得された広告のコンテンツデータを、前記空き広告枠選択ステップにより選択された組み合わせが示す複数の空き広告枠に入れて、前記広告出力装置から出力させる、
ことを特徴とする。
【００１２】
また、本発明の第４の観点に係るプログラムは、
広告を出力する広告出力装置と、前記広告出力装置により出力された広告の広告効果を測定する広告効果測定装置と、通信ネットワークを介して接続されるコンピュータを、
前記広告出力装置により広告が出力されることが予定されている広告枠の中で、未だ入る広告が決められていない空き広告枠を記憶する空き広告枠記憶手段、
前記広告効果測定装置により測定された広告効果を受信する広告効果受信手段、
前記広告効果受信手段により受信された広告効果に基づいて、前記空き広告枠記憶手段に記憶されている空き広告枠毎に、該空き広告枠に入る広告が出力される場合の広告効果を予測する広告効果予測手段、
前記広告効果予測手段により予測された空き広告枠毎の予測広告効果を、該空き広告枠と関連付けて、前記空き広告枠記憶手段に記録する予測広告効果記録手段、
広告のコンテンツデータと、ユーザが希望する該広告の広告効果である希望広告効果と、を取得する広告情報取得手段、
前記予測広告効果記録手段により前記空き広告枠記憶手段に記録された予測広告効果に基づき、前記空き広告枠記憶手段に記憶されている空き広告枠の中から、前記広告情報取得手段により取得された希望広告効果を満たす予測広告効果に関連付けられている空き広告枠を、選択する空き広告枠選択手段、
前記広告情報取得手段により取得された広告のコンテンツデータを、前記空き広告枠選択手段により選択された空き広告枠に入れて、前記広告出力装置から出力させる広告出力制御手段、として機能させ、
前記広告効果受信手段は、広告効果として、前記広告出力装置により出力された広告を認識した人の数である広告認識者数を測定する前記広告効果測定装置から、該測定された広告認識者数を受信し、
前記広告効果予測手段は、前記広告効果受信手段により受信された広告認識者数に基づいて、前記空き広告枠記憶手段に記憶されている空き広告枠毎に、該空き広告枠に入る広告が出力される場合の広告認識者数を広告効果として予測し、
前記予測広告効果記録手段は、前記広告効果予測手段により予測された空き広告枠毎の予測広告認識者数を、該空き広告枠と関連付けて、前記空き広告枠記憶手段に記録し、
前記広告情報取得手段は、希望広告効果として、ユーザが希望する広告認識者数である希望広告認識者数を取得し、
前記空き広告枠選択手段は、前記予測広告効果記録手段により前記空き広告枠記憶手段に記録された予測広告認識者数に基づき、前記空き広告枠記憶手段に記憶されている空き広告枠の中から、前記広告情報取得手段により取得された希望広告認識者数を満たす予測広告認識者数に関連付けられている空き広告枠を選択する際、該希望広告認識者数に関連付けられている空き広告枠が存在しない場合には、該希望広告認識者数に最も近い予測広告認識者数に関連付けられている空き広告枠を選択し、
前記広告出力制御手段は、前記広告情報取得手段により取得された広告のコンテンツデータを、前記空き広告枠選択手段により選択された空き広告枠に入れて、前記広告出力装置から出力させ、
前記空き広告枠選択手段は、前記空き広告枠記憶手段に記憶されている空き広告枠の中から、複数の空き広告枠に関連付けられている予測広告認識者数の合計数が、希望広告認識者数以上であって該希望広告認識者数に最も近い空き広告枠の組み合わせを選択し、
前記広告出力制御手段は、前記広告情報取得手段により取得された広告のコンテンツデータを、前記空き広告枠選択手段により選択された組み合わせが示す複数の空き広告枠に入れて、前記広告出力装置から出力させる、
ことを特徴とする。
【発明の効果】
【００１３】
本発明によれば、客観的に予測される広告効果に基づき、広告を出力する広告枠を決定することができる。
【発明を実施するための最良の形態】
【００１４】
以下、本発明の実施の形態を図面を参照して説明する。
【００１５】
［第１の実施の形態］
図１は、本発明の第１の実施の形態に係る広告管理システムの構成例を概略的に示すブロック図である。
図示するように、本実施の形態に係る広告管理システムは、広告を含むマルチメディアデータを出力する出力装置１と、出力装置１が出力した広告の広告効果を測定する広告効果測定装置２と、出力装置１が出力するマルチメディアデータに含まれる広告を管理する広告管理装置３と、を備える。
【００１６】
広告管理装置３は、通信ネットワーク４ａを介して出力装置１と接続されており、通信ネットワーク４ｂを介して広告効果測定装置２と、接続されている。なお、通信ネットワーク４ａと通信ネットワーク４ｂとを、インターネット等の同一のネットワークとしても良い。
【００１７】
出力装置１は、例えば、プラズマディスプレイ、液晶ディスプレイ等の比較的大型の表示装置と、スピーカ等の音響装置と、から構成され、屋外、店舗、公共交通機関等に設定されている。出力装置１は、広告管理装置３からマルチメディアデータを受信し、受信したマルチメディアデータに含まれる広告等の映像を表示すると共に音声を放音して、観察者ＯＢに提供する。
【００１８】
広告効果測定装置２は、撮像装置２１と、画像解析装置２２と、を備える。
撮像装置２１は、ＣＣＤ（Charge Coupled Device）カメラ、ＣＭＯＳ（Complementary Metal Oxide Semiconductor）センサカメラ等から構成され、出力装置１の近傍（例えば出力装置１の上部）に配置される。撮像装置２１は、出力装置１の近傍を含む前方エリア、即ち、出力装置１の表示を人が視認可能な領域を撮像する。
【００１９】
画像解析装置２２は、撮像装置２１が撮影した画像をフレーム単位に解析し、画像中の人の中から、出力装置１に表示された映像を見ている観察者ＯＢを識別する。また、画像解析装置２２は、識別した観察者ＯＢの画像を更に解析し、性別、年齢層等の観察者ＯＢの属性を推定する。
【００２０】
なお、観察者ＯＢ毎に、広告に注目していた度合いは、様々であると考えられる。例えば、広告を近くから長時間見ていた観察者ＯＢと、遠くから短時間だけ見た観察者ＯＢとでは、広告への注目度も異なると考えられる。そこで、本実施の形態においては、一定の広告注目度があった観察者ＯＢだけを広告認識者とするものとする。
【００２１】
具体的には、画像解析装置２２は、観察者ＯＢ毎に、滞留時間（表示された映像を観察していた継続時間）と、出力装置１からの距離（継続して観察している間の平均距離）と、を求める。そして、画像解析装置２２は、求めた滞留時間と距離に基づいて、観察者ＯＢ毎に、広告注目度を決定する。
【００２２】
例えば、距離毎に、一定の広告注目度があったと判断する基準滞留時間を定めておき、距離と滞留時間との相関関係に基づいて、広告認識者であるか否かを判別する。具体的には、距離が近い場合（例えば２ｍ以内）には、基準滞留時間を短く（例えば３秒以上に）設定し、距離が遠い場合（例えば４ｍ以上）には、基準滞留時間を長く（例えば５秒以上に）設定しておき、距離毎の基準滞留時間を満たしている観察者ＯＢを広告認識者と判別する。
【００２３】
そして、画像解析装置２２は、出力装置１から広告が出力されていた時間内に判別された広告認識者の数を、その広告の広告効果として測定する。
【００２４】
図２は、画像解析装置２２の構成例を概略的に示すブロック図である。
図示するように、画像解析装置２２は、モデルＤＢ（データベース）２２１と、フレームメモリ２２２と、広告効果メモリ２２３と、測定広告効果ＤＢ２２４と、入出力部２２５と、通信部２２６と、制御部２２７と、を備える。また、画像解析装置２２は、図１に示すように、撮像装置２１と接続されていると共に、通信ネットワーク４ｂを介して広告管理装置３と接続される。
【００２５】
図２に戻り、モデルＤＢ２２１は、顔画像のモデル（母集団）を解析して得られた各種特徴量の組み合わせと、年齢及び性別と、の対応関係を記憶する。
フレームメモリ２２２は、撮像装置２１から供給される各フレーム画像を順次記憶する。
【００２６】
広告効果メモリ２２３は、出力装置１に表示された広告を認識した広告認識者の属性（性別及び年齢層）と、その認識日時と、を格納する。
測定広告効果ＤＢ２２４は、広告効果メモリ２２３に格納された情報に基づき、測定された広告効果を格納する。
【００２７】
入出力部２２５は、キーボード、マウス、表示装置等から構成され、制御部２２７に種々の指示やデータを入力し、また、制御部２２７から出力される情報を表示する。
通信部２２６は、撮像装置２１及び広告管理装置３と通信を行う。
【００２８】
制御部２２７は、ＣＰＵ（Central Processing Unit）、ＲＯＭ（Read Only Memory）、ＲＡＭ（Random Access Memory）、ＲＴＣ（Real Time Clock）等から構成され、データの演算処理を行うと共に、画像解析装置２２の全体を制御する。制御部２２７における演算処理及び制御処理は、具体的には、ＣＰＵが、ＲＡＭを作業領域として使用して各種データを一時的に記憶させながら、ＲＯＭに記憶されている制御プログラムを実行することにより行われる。また、制御部２２７は、ＲＴＣにより計時を行う。
【００２９】
制御部２２７は、撮像装置２１が撮影した画像を通信部２２６を介して受信し、フレームメモリ２２２に格納する。
制御部２２７は、フレームメモリ２２２に格納したフレーム画像を順次読み出し、ＲＡＭを使用して画像解析を行い、画像中の人の視線（撮像装置２１の方向への視線、即ち、出力装置１に表示された映像への視線）を検出し、検出した視線を有する人を観察者ＯＢと識別する。
【００３０】
なお、観察者ＯＢの識別手法は任意である。例えば、フレーム画像全体の平均輝度に基づいて定めた閾値により画像を二値化し、二値化画像中で一定の距離（１０〜１８ｃｍ相当）にある２つの黒点（目の画像と推定されるもの）の組を抽出し、続いて、元のフレーム画像中で、抽出された黒点の組を基準として一定範囲の画像を抽出し、これを予め用意されている顔の画像のサンプルとマッチングし、一致する場合に、その画像を、出力装置１に視線を向けている観察者ＯＢの顔画像として抽出すれば良い。
【００３１】
更に、制御部２２７は、観察者ＯＢの顔の画像から種々の特徴量を求め、求めた特徴量の組み合わせとモデルＤＢ２２１に格納されている情報に基づいて、観察者ＯＢの性別と年齢層とを推定する。
【００３２】
なお、性別及び年齢層の推定手法や、特徴量の取得手法も任意である。例えば、顔のサイズを必要に応じて所定サイズに正規化した上で、顔を識別するための複数の特徴量を求める。ここで、「特徴量」とは、顔の画像の特徴を表すパラメータを指し、その画像における各画素の濃度勾配を表す勾配ベクトル、各画素の色情報（色相、彩度）、濃度、テクスチャーの特徴、奥行情報、その画像に含まれるエッジの特徴等、いかなる特徴を表すものであっても良い。この特徴量としては、既知の種々の特徴量を使用できる。例えば、両目と鼻の頂点との距離などを使用することも可能である。また、体全体の画像から特徴量を求めても良い。
【００３３】
更に、制御部２２７は、観察者ＯＢの画像から、観察者ＯＢの滞留時間と出力装置１からの距離とを求める。具体的には、視線が検出できなくなった時点で、その観察者ＯＢについての滞留時間と距離とを決定し、距離と滞留時間との上述した相関関係に基づいて、その観察者ＯＢが、一定の広告注目度を有していた広告認識者であるか否かを判別する。
【００３４】
なお、滞留時間及び距離の取得手法も任意である。例えば、滞留時間については、フレーム周期（例えば、１／３０秒）の間には人はほとんど移動することができないため、連続するフレーム間で、特徴量と位置とがほぼ一致する顔画像を同一人物の顔であると判断し、同一人物の顔が撮影されているフレーム数をカウントすることにより、滞留時間を求めても良い。また、距離については、複数台の撮像装置２１を配置し、ステレオ画像から、観察者までの距離を求めても良い。
【００３５】
また、観察者ＯＢが一定の広告注目度を有していたか否かを判別することなく、識別した観察者ＯＢをそのまま広告認識者としても良い。
【００３６】
制御部２２７は、画像から広告認識者を判別すると、ＲＴＣを参照して日時を取得し、取得した日時を認識日時とし、その広告認識者の推定された性別及び年齢層と併せて、広告効果メモリ２２３に記録する。
【００３７】
図３は、広告効果メモリ２２３のデータ構成例を示す図である。
図示するように、広告効果メモリ２２３には、制御部２２７が広告認識者を識別する毎に、その広告認識者が出力装置１に表示された広告を認識した日時と、その広告認識者の推測された性別及び年齢層と、が関連付けて、記録されていく。
【００３８】
なお、制御部２２７は、視線が検出できなくなった時点で、観察者ＯＢが広告認識者であるか否かを判別するため、認識日時は、広告認識者が広告を見るのを終了した時刻となる。しかしながら、認識日時は、広告認識者が広告の認識を開始した時刻としても良く、また、広告の認識を開始してから終了するまでの間の中間時刻としても良い。
【００３９】
制御部２２７は、広告効果メモリ２２３に記録された情報に基づき、広告毎の広告効果を測定し、測定した広告効果を測定広告効果ＤＢ２２４に記録する。
図４は、測定広告効果ＤＢ２２４のデータ構成例を示す図である。
図示するように、測定広告効果ＤＢ２２４には、広告が表示（出力）された広告表示時間（表示開始日時及び表示終了日時）と、その時間に出力された広告の広告効果（測定広告効果）と、が関連付けて記憶される。
【００４０】
本実施の形態においては、例えば、広告が出力装置１から標準時刻に同期した３０秒単位で出力されるものとする。その場合、制御部２２７は、標準時刻に同期した３０秒毎に広告認識者の数をカウントし、その数を、その時間に出力された広告の広告効果として、測定広告効果ＤＢ２２４に記録する。具体的には、性別及び年齢層毎の広告認識者の数が、測定広告効果として記録される。
【００４１】
制御部２２７は、測定広告効果ＤＢ２２４に記録された広告効果を、例えば１時間毎等の定期的に、広告管理装置３に送信する。
なお、上記の例では、画像解析装置２は、広告効果メモリ２２３の記憶情報から測定広告効果ＤＢ２２４の記憶情報を生成し、生成した測定広告効果ＤＢ２２４の記憶情報を広告管理装置３に送信している。しかしながら、画像解析装置２は、広告効果メモリ２２３の記憶情報を広告管理装置３に送信し、広告管理装置３が、受信した広告効果メモリ２２３の記憶情報から測定広告効果ＤＢ２２４の記憶情報を生成するようにしても良い。
【００４２】
次に、広告管理装置３について説明する。
広告管理装置３は、広告提供者（商品等の広告を希望する広告主等）から提供される広告と、マルチメディアデータの広告枠と、を管理し、スケジュールに従って、広告枠に広告を入れたマルチメディアデータを出力装置１に供給する。
【００４３】
図５は、広告管理装置３の構成例を概略的に示すブロック図である。
図示するように、広告管理装置３は、スケジュールＤＢ３１と、空き広告枠ＤＢ３２と、コンテンツＤＢ３３と、予測用広告効果ＤＢ３４と、入出力部３５と、通信部３６と、制御部３７と、を備える。
【００４４】
スケジュールＤＢ３１は、広告を含むマルチメディアデータの配信スケジュール（表示スケジュール）を記憶する。
【００４５】
図６は、スケジュールＤＢ３１のデータ構成例を示す図である。
図示するように、スケジュールＤＢ３１には、出力装置１に表示される予定のマルチメディアデータに含まれるコンテンツ毎に、表示予定時間（表示開始日時及び表示終了日時）と、コンテンツデータの格納位置のアドレス（ＵＲＬ（Uniform Resource Locator））と、コンテンツの種類と、が関連付けて記憶される。
【００４６】
なお、コンテンツの種類には、広告コンテンツ、番組コンテンツ、天気予報や交通情報を案内する案内コンテンツ等の様々なコンテンツの種類が含まれる。
本実施の形態においては、このうち、広告コンテンツの表示予定時間を広告枠と称する。
【００４７】
空き広告枠ＤＢ３２は、出力装置１に広告が表示されることが予定されている広告枠の中で、未だ入る広告が決定していない広告枠（空き広告枠）の情報を記憶する。
【００４８】
図７は、空き広告枠ＤＢ３２のデータ構成例を示す図である。
図示するように、空き広告枠ＤＢ３２には、空き広告枠毎に、表示予定時間と、その空き広告枠に広告が入って表示される場合に予測される広告効果（予測広告効果）と、が関連付けて記憶される。予測広告効果としては、具体的には、性別及び年齢層毎に広告を認識することが予想される人数が記憶される。
【００４９】
この空き広告枠ＤＢ３２の表示予定時間は、スケジュールＤＢ３１からアドレスが記録されていない広告枠の表示予定時間が抽出されることにより、登録される。また、空き広告枠毎の予測広告効果は、広告効果測定装置２から受信する実際に測定された広告効果に基づいて予測される。
【００５０】
コンテンツＤＢ３３は、表示対象のコンテンツのコンテンツデータ（例えば、ＭＰＥＧフォーマットの音声付動画データ）を格納する。コンテンツＤＢ３３に格納されている各コンテンツは、ＵＲＬで特定される。配信スケジュールは、このＵＲＬで表示対象のコンテンツを特定する。
【００５１】
予測用広告効果ＤＢ３４は、広告効果測定装置２から受信した広告効果を記憶する。
図８は、予測用広告効果ＤＢ３４のデータ構成例を示す図である。
図示するように、予測用広告効果ＤＢ３４には、図４に示した画像解析装置２２の測定広告効果ＤＢ２２４と同様に、広告表示時間と測定広告効果とが関連付けて記憶される。
【００５２】
具体的には、広告管理装置３は、広告効果測定装置２の画像解析装置２２から、図４に示した測定広告効果ＤＢ２２４に記録されている情報を、例えば定期的に受信し、予測用広告効果ＤＢ３４に蓄積する。予測用広告効果ＤＢ３４は、受信した広告効果のうち、広告表示時間が所定の期間内（例えば日付が現在から１週間以内の日付）の広告効果だけを記憶する。
【００５３】
この予測用広告効果ＤＢ３４に記憶される過去に実際に測定された広告効果に基づいて、空き広告枠ＤＢ３２に記憶されている空き広告枠の予測広告効果が予測される。
【００５４】
入出力部３５は、キーボード、マウス、表示装置等から構成され、制御部３７に種々の指示やデータを入力し、また、制御部３７から出力される情報を表示する。
【００５５】
例えば、広告提供者の操作により、広告のコンテンツデータと、その広告に対して広告提供者が希望する広告効果（希望広告効果）と、が入出力部３５から入力される。希望広告効果としては、具体的には、広告提供者がその広告を認識させたいと考えている人の性別及び年齢層と、人数と、が入力される。
【００５６】
また、配信スケジュールの管理者の操作により、スケジュールＤＢ３１に記憶されている配信スケジュールを編集、更新等するための指示情報が入出力部３５から入力される。
【００５７】
通信部３６は、出力装置１及び広告効果測定装置２と通信を行う。
例えば、通信部３６は、出力装置１に、スケジュールＤＢ３１に記憶されている配信スケジュールに従って、コンテンツＤＢ３３に記憶されているコンテンツデータを送信する。また、通信部３６は、広告効果測定装置２から、実際に測定された広告効果を受信する。
【００５８】
なお、広告管理装置３は、通信部３６介して、通信ネットワーク上の広告提供者の端末装置（図示せず）と通信を行い、広告提供者の端末装置から、広告のコンテンツデータと希望広告効果とを取得しても良い。
【００５９】
制御部３７は、ＣＰＵ、ＲＯＭ、ＲＡＭ、ＲＴＣ等から構成され、データの演算処理を行うと共に、広告管理装置３の全体を制御する。制御部３７における演算処理及び制御処理は、具体的には、ＣＰＵが、ＲＡＭを作業領域として使用して各種データを一時的に記憶させながら、ＲＯＭに記憶されている制御プログラムを実行することにより行われる。また、制御部３７は、ＲＴＣにより計時を行う。
【００６０】
制御部３７が、ＲＯＭ等に記憶されているプログラムに従って広告管理装置３の各部を制御することにより、広告管理装置３における様々な機能が実現される。
【００６１】
図９は、広告管理装置３の機能的な構成例を示すブロック図である。
図示するように、広告管理装置３は、空き広告枠ＤＢ３２と、広告効果受信部３７１と、広告効果予測部３７２と、予測広告効果記録部３７３と、広告情報取得部３７４と、空き広告枠選択部３７５と、広告出力制御部３７６と、を備える。
【００６２】
なお、広告効果受信部３７１、広告効果予測部３７２、予測広告効果記録部３７３、広告情報取得部３７４、空き広告枠選択部３７５、及び広告出力制御部３７６は、制御部３７の処理により実現される機能的な構成である。
また、重複した説明を避けるために、既に説明した構成要素と同一の構成要素には、同一の符号を付して、その具体的な説明を省略する。
【００６３】
まず、制御部３７が、スケジュールＤＢ３１に記憶されている広告枠の表示予定時間の中から、コンテンツデータのアドレスが記録されていない表示予定時間を抽出し、抽出した表示予定時間を空き広告枠ＤＢ３２に登録する。
これにより、空き広告枠ＤＢ３２には、出力装置１により広告が出力されることが予定されている広告枠の中で、未だ入る広告が決定していない空き広告枠の表示予定時間が記憶される。
【００６４】
広告効果受信部３７１は、広告効果測定装置２により測定された広告効果を受信する。具体的には、広告効果受信部３７１は、広告効果測定装置２から、広告表示時間と、その広告表示時間に出力された広告の広告効果と、を受信する。
【００６５】
広告効果予測部３７２は、広告効果受信部３７１により受信された広告効果に基づいて、空き広告枠ＤＢ３２に記憶されている空き広告枠毎に、空き広告枠に入る広告が出力される場合の広告効果を予測する。
【００６６】
具体的には、広告効果予測部３７２は、広告効果受信部３７１により受信された広告表示時間と広告効果とに基づいて、空き広告枠ＤＢ３２に記憶されている空き広告枠毎に、空き広告枠が示す時間に広告が出力される場合の広告効果を予測する。
【００６７】
図１０は、広告効果予測部３７２における広告効果予測処理の一例を示すフローチャートである。
広告効果予測処理は、スケジュールＤＢ３１からアドレスが記録されていない表示予定時間が抽出され、空き広告枠ＤＢ３２に登録されると、開始される。
【００６８】
まず、広告効果予測部３７２は、空き広告枠ＤＢ３２から、登録された空き広告枠の表示予定時間を読み出す（ステップＳ１１）。
【００６９】
次に、広告効果予測部３７２は、広告表示時間と測定広告効果とを関連付けて記憶している予測用広告効果ＤＢ３４を参照し、読み出した表示予定時間と日付以外が同じ広告表示時間に関連付けられている測定広告効果を読み出す（ステップＳ１２）。例えば、予測用広告効果ＤＢ３４に過去１週間分の測定広告効果が記憶されている場合には、広告効果予測部３７２は、時間が同じ７日分の測定広告効果を予測用広告効果ＤＢ３４から読み出す。
【００７０】
次に、広告効果予測部３７２は、読み出した測定広告効果の平均を算出し（ステップＳ１３）、この平均を予測広告効果として、広告効果予測処理を終了する。例えば、７日分の測定広告効果を読み出した場合には、各測定広告効果が示す性別及び年齢層別の広告認識者数を７で割り、性別及び年齢層別の広告認識者数の平均を算出する。
【００７１】
なお、本実施の形態では、理解の容易のために、広告枠の時間を一律に３０秒と仮定して説明しているが、広告枠の時間が異なる場合もあり、その場合には、空き広告枠ＤＢ３２の表示予定時間と、予測用広告効果ＤＢ３４の広告表示時間と、が同じになるとは限らない。
そのような場合には、例えば、表示予定時間が広告表示時間より長い場合には、ステップＳ１２において、表示予定時間に含まれるすべての広告表示時間に関連付けられている測定広告効果を加算して読み出せば良い。また、表示予定時間が広告表示時間より短い場合には、広告表示時間に関連付けられている測定広告効果を、時間比で割って読み出せば良い。
【００７２】
予測広告効果記録部３７３は、広告効果予測部３７２により予測された空き広告枠毎の予測広告効果を、空き広告枠と関連付けて、空き広告枠ＤＢ３２に記録する。
また、広告管理装置３が広告効果測定装置２から新たに測定された広告効果を受信し、予測用広告効果ＤＢ３４が更新されると、広告効果予測部３７２は、更新された最新の広告効果に基づき、予測をやり直し、予測広告効果記録部３７３は、やり直された予測結果に基づき、空き広告枠ＤＢ３２を更新する。
【００７３】
広告情報取得部３７４は、広告のコンテンツデータと、広告提供者が希望する広告の希望広告効果と、を取得する。
【００７４】
具体的には、広告情報取得部３７４は、入出力部３５、通信部３６等を介して、広告提供者から広告のコンテンツデータ及び希望広告効果を取得すると、取得したコンテンツデータをコンテンツＤＢ３３に格納して、その格納場所を示すＵＲＬを取得する。そして、広告情報取得部３７４は、広告のコンテンツデータを入れる広告枠が決定するまで、取得したＵＲＬと希望広告効果とを関連付けて制御部３７のＲＡＭ等に一時的に保存しておく。
【００７５】
空き広告枠選択部３７５は、予測広告効果記録部３７３により空き広告枠ＤＢ３２に記録された予測広告効果に基づき、空き広告枠ＤＢ３２に記憶されている空き広告枠の中から、広告情報取得部３７４により取得された希望広告効果を満たす予測広告効果に関連付けられている空き広告枠を、選択する。
【００７６】
例えば、広告提供者の希望広告効果が「３０代男性５人」であった場合には、空き広告枠選択部３７５は、空き広告枠ＤＢ３２に記憶されている空き広告枠の中から、予測広告効果に「３０代男性５人」を含む空き広告枠を選択する。また、予測広告効果に「３０代男性５人」を含む空き広告枠が無い場合には、「３０代男性」が５人以上である予測広告効果の空き広告枠の中で、最も５人に近い予測広告効果の空き広告枠を選択する。
【００７７】
一方で、空き広告枠の中に、希望広告効果が示す広告認識者数を満たす予測広告効果の空き広告枠が１つもない場合には、空き広告枠選択部３７５は、複数の空き広告枠に関連付けられている予測広告効果が示す広告認識者数の合計数が、希望広告効果が示す広告認識者数以上であって、その数に最も近くなる空き広告枠の組み合わせを選択する。
例えば、広告提供者の希望広告効果が「３０代男性５人」である場合には、「３０代男性２人」の空き広告枠と、「３０代男性３人」の空き広告枠と、の組み合わせが選択される。
【００７８】
広告出力制御部３７６は、広告情報取得部３７４により取得された広告のコンテンツデータを、空き広告枠選択部３７５により選択された空き広告枠に入れて、出力装置１から出力させる。
また、複数の空き広告枠の組み合わせが選択されている場合には、広告出力制御部３７６は、選択された空き広告枠のそれぞれに、広告のコンテンツデータを入れて、出力装置１から出力させる。
【００７９】
具体的には、広告出力制御部３７６は、空き広告枠が選択されると、選択に用いられた希望広告効果に関連付けて一時的にＲＡＭ等に保存されているＵＲＬを、選択された広告枠に対応するスケジュールＤＢ３１内のアドレス欄に記録し、スケジュールＤＢ３１を更新する。
【００８０】
そして、広告出力制御部３７６は、スケジュールＤＢ３１に記憶されている配信スケジュールに従って、出力装置１で表示すべきコンテンツを、コンテンツＤＢ３１から読み出し、出力装置１に供給する。
これにより、広告情報取得部３７４により取得された広告のコンテンツデータは、空き広告枠選択部３７５により選択された空き広告枠が示す時間に、出力装置１から出力される。
【００８１】
なお、上述した機能以外にも、制御部３７により様々な機能が実現される。
例えば、制御部３７は、入出力部３５、通信部３６等を介してコンテンツデータを取得すると、取得したコンテンツデータをコンテンツＤＢ３３の指定されたＵＲＬに格納する。
【００８２】
また、制御部３７は、入出力部３５、通信部３６等を介して配信スケジュールの編集、更新等の指示を取得すると、指示に従ってスケジュールＤＢ３１の内容を変更する。
【００８３】
以上説明した広告管理システムによれば、過去に測定された広告効果から客観的に予測される広告効果に基づき、広告を出力する広告枠を決定することができる。具体的には、この広告管理システムによれば、広告枠の時間に応じて客観的に予測される広告効果に基づき、ユーザが希望する広告効果を満たす広告枠を決定することができる。
【００８４】
［第２の実施の形態］
広告効果は、広告が出力される場所によっても変化する。そこで、次に、複数の出力装置１が互いに異なる場所に設置されている場合について説明する。
【００８５】
図１１は、本発明の第２の実施の形態に係る広告管理システムの構成例を概略的に示すブロック図である。
図示するように、第２の実施の形態に係る広告管理システムは、図１に示した第１の実施の形態に係る広告管理システムと異なり、広告管理装置３に、複数の出力装置１ａ、１ｂ、１ｃ、…と、複数の広告効果測定装置２ａ、２ｂ、２ｃ、…と、が通信ネットワーク４を介して接続されている。
【００８６】
広告効果測定装置２ａは、出力装置１ａの近傍に設置されており、出力装置１ａが出力する広告の広告効果を測定する。広告効果測定装置２ｂは、出力装置１ｂの近傍に設置されており、出力装置１ｂが出力する広告の広告効果を測定する。広告効果測定装置２ｃは、出力装置１ｃの近傍に設置されており、出力装置１ｃが出力する広告の広告効果を測定する。
【００８７】
なお、出力装置１ａ、１ｂ、１ｃ、…のそれぞれは、第１の実施の形態における出力装置１と同一の構成であり、広告効果測定装置２ａ、２ｂ、２ｃ、…のそれぞれは、第１の実施の形態における広告効果測定装置２と同一の構成である。
但し、広告効果測定装置２ａ、２ｂ、２ｃ、…のそれぞれは、自らがどの出力装置が出力する広告の広告効果を測定するものであるかを識別するために、出力装置識別子を記憶しており、測定した広告効果と広告表示時間とを広告管理装置３に送信する際に、出力装置識別子を読み出して併せて送信する。
【００８８】
広告管理装置３は、図５及び図９に示した構成と同一である。
但し、スケジュールＤＢ３１、空き広告枠ＤＢ３２、及び予測用広告効果ＤＢ３４には、出力装置識別子で識別される出力装置毎に、図６〜８に示した情報が格納される。
【００８９】
以下、第１の実施の形態における広告管理装置３の説明に用いた図９を用いて、第２の実施の形態における広告管理装置３を説明する。
空き広告枠ＤＢ３２は、複数の出力装置１ａ、１ｂ、１ｃ、…のそれぞれにおいて広告が出力されることが予定されている表示予定時間の中で、未だ出力される広告が決められていない出力装置と表示予定時間との組み合わせを、空き広告枠として記憶する。
【００９０】
広告効果受信部３７１は、複数の広告効果測定装置２ａ、２ｂ、２ｃ、…から、出力装置識別子と、広告表示時間と、その出力装置識別子で識別される出力装置によりその広告表示時間に出力された広告の広告効果と、を受信する。
【００９１】
広告効果予測部３７２は、広告効果受信部３７１により受信された出力装置識別子と広告表示時間と広告効果とに基づいて、空き広告枠ＤＢ３２に記憶されている空き広告枠毎に、空き広告枠が示す出力装置と表示予定時間との組み合わせで広告が出力される場合の広告効果を予測する。
【００９２】
予測広告効果記録部３７３は、広告効果予測部３７２により予測された空き広告枠毎の予測広告効果を、空き広告枠と関連付けて、空き広告枠ＤＢ３２に記録する。
広告情報取得部３７４は、広告のコンテンツデータと、広告提供者が希望する広告の希望広告効果と、を取得する。
【００９３】
空き広告枠選択部３７５は、予測広告効果記録部３７３により空き広告枠ＤＢ３２に記録された予測広告効果に基づき、空き広告枠ＤＢ３２に記憶されている空き広告枠の中から、広告情報取得部３７４により取得された希望広告効果を満たす予測広告効果に関連付けられている空き広告枠を、選択する。
【００９４】
広告出力制御部３７６は、広告情報取得部３７４により取得された広告のコンテンツデータを、空き広告枠選択部３７５により選択された空き広告枠が示す時間に、空き広告枠が示す出力装置から出力させる。
【００９５】
以上説明した第２の実施の形態に係る広告管理システムによれば、広告枠の時間及び場所に応じて客観的に予測される広告効果に基づき、ユーザが希望する広告効果を満たす広告枠を決定することができる。
【００９６】
［第３の実施の形態］
出力装置１（１ａ、１ｂ、１ｃ、…）の設置場所によっては、特定の属性（業種等）の広告だけが表示を許可されている場合がある。また、特定の属性の広告だけが表示を許可されていない場合もある。
例えば、出力装置１が店舗内に設置されている場合に、その店舗で行われている業種と同じ業種の他者の広告が、その店舗内の出力装置１から出力されることは、好ましくない。
【００９７】
そこで、本発明の第３の実施の形態においては、広告管理装置３に複数の広告出力装置１が接続されている場合に、広告提供者の業種に応じて、適切な出力装置１に広告を出力させる場合について説明する。
第３の実施の形態に係る広告管理システムの構成は、図１１に示した第２の実施の形態に係る広告管理システムと同じであるため、その説明を省略する。
【００９８】
次に、第３の実施の形態における広告管理装置３の構成を説明する。
図１２は、第３の実施の形態における広告管理装置３の構成例を示すブロック図である。
第３の実施の形態における広告管理装置３は、図５に示した第１の実施の形態における広告管理装置３の構成に加えて、出力許可業種ＤＢ３８を備えている。
なお、重複した説明を避けるために、図１２において、図５に示した構成要素と同一の構成要素には、同一の符号を付して、その具体的な説明を省略する。
【００９９】
出力許可業種ＤＢ３８は、出力装置１ａ、１ｂ、１ｃ、…のそれぞれの設置場所に応じて、出力装置毎に、出力装置１ａ、１ｂ、１ｃ、…から広告を出力することが許可されている業種（出力許可業種）を記憶する。
図１３は、出力許可業種ＤＢ３８のデータ構成例を示す図である。
図示するように、出力許可業種ＤＢ３８には、出力装置１ａ、１ｂ、１ｃ、…のそれぞれを識別するための出力装置識別子と、出力許可業種の業種を識別するためのの業種情報と、が関連付けて記憶されている。
【０１００】
図１３においては、例えば、出力装置識別子「０００１」は出力装置１ａを、出力装置識別子「０００２」は出力装置１ｂを、出力装置識別子「０００３」は出力装置１ｃを特定しているものとする。
なお、出力許可業種の業種情報としては、業種コードのようなものを記憶させても良い。また、出力許可業種の欄に、出力を許可する業種とは逆に、出力を許可しない業種を記憶させるようにしても良い。
【０１０１】
次に、第１及び第２の実施の形態における広告管理装置３の説明に用いた図９を用いて、第３の実施の形態における広告管理装置３を説明する。
なお、第３の実施の形態における広告管理装置３は、既に説明した第２の実施の形態における広告管理装置３に、幾つかの機能を追加したものである。そのため、以下の第３の実施の形態における広告管理装置３の説明では、重複した説明を避けるために、第２の実施の形態における広告管理装置３と異なる点を主に説明する。
【０１０２】
第３の実施の形態では、広告情報取得部３７４は、広告のコンテンツデータ、及び広告提供者が希望する広告の希望広告効果に加えて、その広告提供者の業種情報を更に取得する。
そして、空き広告枠選択部３７５は、広告情報取得部３７４が取得した業種情報を更に用いて、広告を出力することが許可されている広告出力装置の空き広告枠の中から、希望広告効果を満たす予測広告効果に関連付けられている空き広告枠を、選択する。
【０１０３】
図１４は、第３の実施の形態における空き広告選択部３７５の機能的な構成例を示すブロック図である。
図示するように、空き広告選択部３７５は、出力装置識別子抽出部３７５１と、空き広告枠抽出部３７５２と、抽出空き広告選択部３７５３と、を備える。
【０１０４】
出力装置識別子抽出部３７５１は、出力許可業種ＤＢ３８に記憶されている出力装置識別子の中から、広告情報取得部３７４により取得された業種情報が示す業種を出力許可業種に含む出力装置識別子を抽出する。
【０１０５】
例えば、広告情報取得部３７４により取得された業務情報が示す業務が、仮に「通信業」であった場合には、図１３に例示した出力許可業種ＤＢ３８を参照して、広告の出力が許可されている出力装置として、出力装置１ｃの出力装置識別子「０００３」が抽出される。
なお、広告情報取得部３７４により取得された業種情報が示す業種を出力許可業種に含む出力装置識別子が複数ある場合には、複数の出力装置識別子が抽出される。
【０１０６】
空き広告枠抽出部３７５２は、空き広告枠ＤＢ３２に記憶されている空き広告枠の中から、出力装置識別子抽出部３７５１により抽出された出力装置識別子で識別される広告出力装置が出力する空き広告枠を抽出する。
図１５は、空き広告枠抽出部３７５２が、空き広告枠を抽出する動作を説明するための図である。
図１５（ａ）に示すように、第３の実施の形態における空き広告枠ＤＢ３２には、出力装置（出力装置識別子）と表示予定時間とにより特定される空き広告枠毎に、予測広告効果が記憶されている。
【０１０７】
ここで、例えば、出力装置識別子抽出部３７５１により抽出された出力装置識別子が「０００３」であった場合には、図１５（ｂ）に例示するように、出力装置識別子「０００３」で識別される出力装置１ｃから出力されることが予定されている空き広告枠だけが、空き広告枠ＤＢ３２から抽出される。
【０１０８】
抽出空き広告選択部３７５３は、予測広告効果記録部３７３により空き広告枠ＤＢ３２に記録された予測広告効果に基づき、空き広告枠抽出部３７５２により抽出された空き広告枠の中から、広告情報取得部３７４により取得された希望広告効果を満たす予測広告効果に関連付けられている空き広告枠を、選択する。
【０１０９】
以上説明した第３の実施の形態に係る広告管理システムによれば、ユーザの業種に応じて、適切な出力装置１ａ、１ｂ、１ｃ、…から広告を出力させることができる。
【０１１０】
以上、本発明の実施の形態を説明したが、本発明を実施するにあたっては、種々の形態による変形及び応用が可能であり、上記実施の形態に限られるものではない。
【０１１１】
また、上記実施の形態の説明に用いたブロック図、フローチャート等は、本発明の趣旨を逸脱しない範囲で適宜変更しても良い。
【０１１２】
また、上記実施の形態に係る広告管理装置３及び画像解析装置２２により実行される機能は、ソフトウェアに限らず、専用のハードウェアによって実現することもできる。また、広告管理装置３及び画像解析装置２２を、通常のコンピュータシステムによって実現することもできる。
【０１１３】
例えば、上記実施の形態では、広告管理装置３又は画像解析装置２２において、動作プログラムがＲＯＭ等に予め記憶されているものとして説明した。しかし、上述の処理動作を実行させるためのプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の処理動作を実行する装置を構成しても良い。
【０１１４】
また、プログラムをインターネット等の通信ネットワーク上の所定のサーバ装置が有するディスク装置等に格納しておき、例えば、搬送波に重畳させて、コンピュータにダウンロード等するようにしても良い。更に、通信ネットワークを介してプログラムを転送しながら起動実行することによっても、上述の処理を達成することができる。
また、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等しても良い。
【図面の簡単な説明】
【０１１５】
【図１】本発明の第１の実施の形態に係る広告管理システムの構成例を概略的に示すブロック図である。
【図２】画像解析装置の構成例を概略的に示すブロック図である。
【図３】広告効果メモリのデータ構成例を示す図である。
【図４】測定広告効果ＤＢのデータ構成例を示す図である。
【図５】広告管理装置の構成例を概略的に示すブロック図である。
【図６】スケジュールＤＢのデータ構成例を示す図である。
【図７】空き広告枠ＤＢのデータ構成例を示す図である。
【図８】予測用広告効果ＤＢのデータ構成例を示す図である。
【図９】広告管理装置の機能的な構成例を示すブロック図である。
【図１０】広告効果予測処理の一例を示すフローチャートである。
【図１１】本発明の第２の実施の形態に係る広告管理システムの構成例を概略的に示すブロック図である。
【図１２】本発明の第３の実施の形態における広告管理装置の構成例を示すブロック図である。
【図１３】出力許可業種ＤＢのデータ構成例を示す図である。
【図１４】本発明の第３の実施の形態における空き広告選択部の機能的な構成例を示すブロック図である。
【図１５】空き広告枠抽出部が空き広告枠を抽出する動作を説明するための図である。
【符号の説明】
【０１１６】
１、１ａ、１ｂ、１ｃ  出力装置
２、２ａ、２ｂ、２ｃ  広告効果測定装置
３  広告管理装置
４、４ａ、４ｂ  通信ネットワーク
２１  撮像装置
２２  画像解析装置
３１  スケジュールＤＢ
３２  空き広告枠ＤＢ
３３  コンテンツＤＢ
３４  予測用広告効果ＤＢ
３５、２２５  入出力部
３６、２２６  通信部
３７、２２７  制御部
３８  出力許可業務ＤＢ
２２１  モデルＤＢ
２２２  フレームメモリ
２２３  広告効果メモリ
２２４  測定広告効果ＤＢ
３７１  広告効果受信部
３７２  広告効果予測部
３７３  予測広告効果記録部
３７４  広告情報取得部
３７５  空き広告枠選択部
３７６  広告出力制御部
３７５１  出力装置識別子抽出部
３７５２  空き広告枠抽出部
３７５３  抽出空き広告選択部
【図１】
0005246752.tif 000002
【図２】
0005246752.tif 000003
【図３】
0005246752.tif 000004
【図４】
0005246752.tif 000005
【図５】
0005246752.tif 000006
【図６】
0005246752.tif 000007
【図７】
0005246752.tif 000008
【図８】
0005246752.tif 000009
【図９】
0005246752.tif 000010
【図１０】
0005246752.tif 000011
【図１１】
0005246752.tif 000012
【図１２】
0005246752.tif 000013
【図１３】
0005246752.tif 000014
【図１４】
0005246752.tif 000015
【図１５】
0005246752.tif 000016